(57)【要約】【課題】  各検査における表示状態の調整がそれぞれ独立して行え、それぞれの検査に適した表示状態の被検眼像を観察することができる眼科装置を提供することを技術課題とする。【解決手段】  第１の被検眼情報を検査する第１検査手段と、異なる被検眼情報を検査する第２検査手段とを備える複合型眼科装置において、前眼部像を観察するためのモニタを備え、前眼部像を表示するモニタの輝度とコントラストの少なくとも一方の表示状態を調整可能な調整手段を第一検査手段による検査モード及び第二検査手段による検査モードの時でそれぞれ独立して設けておき、検査モードの切換に応じて、モニタに表示する前眼部像を切換えると共に、その表示状態を前記調整手段の調整情報に基づいて設定するよう制御する。【選択図】      図５
2005160548.tif 000002
【特許請求の範囲】
【請求項１】
第１の被検眼情報を検査する第１検査手段と、前記第１の被検眼情報とは異なる第２の被検眼情報を検査する第２検査手段とを備える複合型の眼科装置において、前記第１検査手段による検査時に被検眼前眼部を撮像する第１撮像手段を持つ第１観察光学系と、前記第２検査手段による検査時に被検眼前眼部を撮像する第２撮像手段を持ち、その観察光路内の光学系の少なくとも一部が前記第１観察光学系と異なる第２観察光学系と、前記第１撮像手段及び第２撮像手段により撮像された前眼部像を切換えて表示する表示手段と、前記第１撮像手段及び第２撮像手段により撮像された前眼部像をそれぞれ前記表示手段に表示するときの輝度とコントラストの少なくとも一方の表示状態を調整可能な調整手段と、前記第１検査手段による検査モードと前記第２検査手段による検査モードとを切換えるモード切換手段と、該モード切換手段によるモードの切換えに対応して前記表示手段に表示する前眼部像を切換えると共に、その表示状態を前記調整手段の調整情報に基づいて設定する制御手段と、を備えることを特徴とする眼科装置。
【請求項２】
請求項１の眼科装置において、被検眼前眼部を照明する照明光源を備え、前記調整手段は前記照明光源の光量を調整することにより前記表示手段により表示される前眼部像の輝度を調整する手段を含むことを特徴とする眼科装置。
【請求項３】
請求項１の眼科装置において、前記第１撮像手段は前記第２撮像手段と兼用することを特徴とする眼科装置。
【発明の詳細な説明】
【技術分野】
【０００１】
本発明は、眼圧や眼屈折力等の異なる被検眼情報を検査する複合型の眼科装置に関する。
【背景技術】
【０００２】
眼圧や眼屈折力等の異なる被検眼情報を一つの装置で検査（測定、撮影）することができる複合型の測定装置が提案されている（特許文献１、２参照）。この種の装置においても、被検眼前眼部を撮像する撮像素子を持つ観察光学系と、その前眼部像を表示するモニタが設けられており、眼圧や眼屈折力等を検査する際に、それぞれの検査段階で前眼部像を観察して各検査手段を被検眼に位置合せする。
【特許文献１】特願2003−095822号
【特許文献２】特開平6−47003号公報
【発明の開示】
【発明が解決しようとする課題】
【０００３】
ところで、上記のような複合型測定装置を構成においては、例えば、眼圧と眼屈折力とを測定するときの観察光学系の構成が異なる部分がある。また、各測定によってアライメント光や前眼部照明も異なることがある。この場合、眼圧測定時と眼屈折力測定時とでモニタに表示される前眼部像の明るさやコントラストの表示状態が異なる問題がある。表示画像の明るさやコントラストを、検査手段を切換える毎に調整することは手間である。
【０００４】
本発明は、上記問題点を鑑み、各検査における表示状態の調整がそれぞれ独立して行え、それぞれの検査に適した表示状態の被検眼像を観察することができる眼科装置を提供することを技術課題とする。
【課題を解決するための手段】
【０００５】
（１）  第１の被検眼情報を検査する第１検査手段と、前記第１の被検眼情報とは異なる第２の被検眼情報を検査する第２検査手段とを備える複合型の眼科装置において、前記第１検査手段による検査時に被検眼前眼部を撮像する第１撮像手段を持つ第１観察光学系と、前記第２検査手段による検査時に被検眼前眼部を撮像する第２撮像手段を持ち、その観察光路内の光学系の少なくとも一部が前記第１観察光学系と異なる第２観察光学系と、前記第１撮像手段及び第２撮像手段により撮像された前眼部像を切換えて表示する表示手段と、前記第１撮像手段及び第２撮像手段により撮像された前眼部像をそれぞれ前記表示手段に表示するときの輝度とコントラストの少なくとも一方の表示状態を調整可能な調整手段と、前記第１検査手段による検査モードと前記第２検査手段による検査モードとを切換えるモード切換手段と、該モード切換手段によるモードの切換えに対応して前記表示手段に表示する前眼部像を切換えると共に、その表示状態を前記調整手段の調整情報に基づいて設定する制御手段と、を備えることを特徴とする。
（２）  （１）の眼科装置において、被検眼前眼部を照明する照明光源を備え、前記調整手段は前記照明光源の光量を調整することにより前記表示手段により表示される前眼部像の輝度を調整する手段を含むことを特徴とする。
（３）  （１）の眼科装置において、前記第１撮像手段は前記第２撮像手段と兼用することを特徴とする。
【発明の効果】
【０００６】
本発明によれば、各検査における表示状態の調整がそれぞれ独立して行え、手間を掛けずに、各検査に適した表示状態の被検眼像を観察することが可能となる。
【発明を実施するための最良の形態】
【０００７】
以下、本実施形態について図面に基づいて説明する。図１は本発明に係る眼科装置の外観略図であり、本実施形態では眼圧、眼屈折力及び角膜形状を測定（検査）する機能を持つ複合型の眼科装置を例として説明する。
【０００８】
測定ユニット１を上部に備える移動台２は、左右方向（Ｘ方向）及び前後方向（Ｚ方向）に移動可能に基台３上に配置されている。この移動は、ジョイスティック４の操作によりメカニカルに（電動でもよい）行われる。また、測定ユニット１は、Ｘ方向，Ｚ方向及び上下方向（Ｙ方向）に移動可能に移動台２上に配置されている。全方向への移動は、被検眼に対する測定ユニット１のアライメント状態の検出結果に基づき電動で行われる。Ｙ方向の移動については、ジョイスティック４の回転ノブ４ａを操作することによっても電動で行われる。
【０００９】
基台３には、被検者の顔を支持するための顔支持ユニット６が固定されている。また、顔支持ユニット６には、被検者の額を軽く押し当てて固定するための額当て部７が設けられている。５はジョイスティック４の頂部に設けられた測定開始スイッチである。８ａは後述する前眼部照明用光源２０からの光を通す投光窓であり、８ｂは後述する角膜形状測定用光源８０からの光を通す投光窓であり、８ｃは後述するＺ方向のアライメント用光源８５からの光を通す投光窓である。
【００１０】
図２（ａ），（ｂ）は測定ユニット１内を側方から（図１中矢印Ａ方向から）見た概略構成図である。測定ユニット１内には、非接触で被検眼Ｅの眼圧を測定するための眼圧測定部１ａがＺ方向に移動可能に配置され、また、被検眼Ｅの眼屈折力及び角膜形状を測定するための眼屈折力・角膜形状測定部１ｂが眼圧測定部１ａの上に位置するように固定配置されている。また、反射ミラー９，反射ミラー１０，ミラー移動ユニット９０及び眼圧測定部移動ユニット１００が設けられている。
【００１１】
眼圧測定部１ａは、眼圧測定部移動ユニット１００により、Ｚ方向に平行移動される。ミラー移動ユニット９０は、眼圧測定部１ａのＺ方向の移動に連動して、ノズル１３と被検眼Ｅの間にて反射ミラー９を挿脱する。すなわち、眼圧測定部１ａが図２（ａ）の退避位置から図２（ｂ）の測定位置に移動するとき、反射ミラー９は、眼圧測定部１ａが持つノズル１３の前に挿入された状態から離脱された状態に移動される。一方、眼圧測定部１ａが図２（ｂ）の測定位置から図２（ａ）の退避位置の状態に移動するとき、反射ミラー９は、離脱された状態からノズル１３の前に挿入された状態に移動される。
【００１２】
図３は、測定ユニット１内に配置された光学系、及び眼圧測定部１ａの流体噴射機構１０２の概略構成図である。
【００１３】
まず、眼圧測定部１ａの空気（流体）吹付機構１０２について説明する。１１は空気圧縮用のシリンダである。１２はピストンであり、図示なきロータリソレノイドの駆動力によってシリンダ１１内を移動する。ピストン１２の移動によりシリンダ１１内で圧縮された空気は、ノズル１３から被検眼Ｅの角膜Ｅｃに向けて噴射される。１４はノズル１３を保持する透明な２つのガラス板である。１５はノズル１３の背後に設けられた透明なガラス板である。ガラス板１５の背後には、後述する観察及びアライメントのための光学系が配置されている。１６はシリンダ１１内の圧力を検出する圧力センサである。
【００１４】
次に、眼圧測定部１ａの光学系について説明する。２０は前眼部照明用の赤外光源であり、ノズル１３の軸線と一致する光軸Ｌ１を中心に４個配置されている。眼圧測定部１ａの前眼部観察光学系は、ノズル１３を保持するガラス板１４、光軸Ｌ１上に配置されたガラス板１５、ハーフミラー２１、対物レンズ２２、ダイクロイックミラー２３及びフィルタ２４、撮像素子であるＣＣＤカメラ２５により構成されている。光源２０による被検眼Ｅの前眼部像は、ＣＣＤカメラ２５により撮像される。なお、ダイクロイックミラー２３は、赤外光を透過し可視光を反射する特性を持つ。また、フィルタ２４は、光源２０及び後述する光源３０の光を透過し後述する光源４０の光を透過しない特性を持つ。ＣＣＤカメラ２５により撮像された前眼部像は、後述するモニタ２６上に表示される。また、前眼部照明用光源２０は、照明光量の調整が可能な構成となっている。
【００１５】
３０はＸ方向及びＹ方向のアライメント用の赤外光源であり、その光は投影レンズ３１，ハーフミラー２１及びガラス板１５を介して、角膜Ｅｃに正面から投影される。光源３０による角膜反射像は、ガラス板１５からフィルタ２４までを介してＣＣＤカメラ２５に撮像され、Ｘ方向及びＹ方向のアライメントに利用される。
【００１６】
３５は固視標投影用の可視光源であり、光源３５により照明された固視標３６の光は、投影レンズ３７，ダイクロイックミラー２３，対物レンズ２２，ハーフミラー２１及びガラス板１５を介して、被検眼Ｅに向かう。
【００１７】
４０は角膜Ｅｃの変形状態検出用の赤外光源であり、光源４０による光は、コリメータレンズ４１により略平行光束とされて角膜Ｅｃに投影される。光源４０による角膜反射像は、受光レンズ４２，フィルタ４３，ハーフミラー４４及びピンホール板４５を介して、光検出器４６により受光される。フィルタ４３は、光源４０の光を透過し光源２０及び光源３０の光を透過しない特性を持つ。これら光学系は、角膜Ｅｃが所定の変形状態（偏平状態）のときに光検出器４６の受光量が最大になるように配置されている。
【００１８】
また、光源４０及びコリメータレンズ４１はＺ方向のアライメント検出の指標投影系に共用され、光源４０による角膜反射像は、受光レンズ４２からハーフミラー４４を介してＰＳＤやラインセンサ等の一次元位置検出素子４７に入射する。被検眼Ｅ（角膜Ｅｃ）がＺ方向に移動すると、光源４０による角膜反射像の入射位置も位置検出素子４７上を移動するため、位置検出素子４７からの出力信号に基づき被検眼Ｅに対するＺ方向のアライメント状態を検出することができる。
【００１９】
なお、図３においては、説明の便宜上、これら角膜変形検出及び作動距離検出の光学系を上下に配置しているように図示したが、本来は被検眼に対して左右方向に配置しているものである。
【００２０】
次に、眼屈折力・角膜形状測定部１ｂの光学系について説明する。この測定部１ｂの前眼部観察光学系は、反射ミラー９，反射ミラー１０，ハーフミラー５１，ハーフミラー５２，結像レンズ５３，撮像素子であるＣＣＤカメラ５４から構成される。光源２０による被検眼Ｅの前眼部像は、ＣＣＤカメラ５４により撮像され、モニタ２６上に表示される。
【００２１】
６０はＸ方向及びＹ方向のアライメント用の赤外光源であり、投影レンズ６１，ダイクロイックミラー６２，ハーフミラー５２，ハーフミラー５１，反射ミラー１０及び反射ミラー９を介して、角膜Ｅｃに正面から投影される。なお、ダイクロイックミラー６２は、可視光を透過し赤外光を反射する特性を持つ。光源６０による角膜反射像は、反射ミラー９から結像レンズ５３までを介してＣＣＤカメラ５４に撮像され、Ｘ方向及びＹ方向のアライメントに利用される。６５は固視標投影用の可視光源であり、光源６５により照明された固視標６６の光は、投影レンズ６７，ダイクロイックミラー６２，ハーフミラー５２，ハーフミラー５１，反射ミラー１０及び反射ミラー９を介して、被検眼Ｅに向かう。また、投影レンズ６７が光軸方向に移動することにより、被検眼Ｅの雲霧が行われる。
【００２２】
７０は眼屈折力測定用の赤外光源であり、光源７０による光は、回転セクター７１に設けられたスリットを通過し、投影レンズ７２，絞り７３，ハーフミラー７４，ハーフミラー５１，反射ミラー１０及び反射ミラー９を介して、被検眼Ｅの眼底に走査されながら投影される。眼底からの反射光は、反射ミラー９，反射ミラー１０，ハーフミラー５１，ハーフミラー７４，受光レンズ７５及び絞り７６を介して、複数対の受光素子を備える受光部７７により受光される。なお、眼屈折力測定のための光学系に関しては、詳しくは、本出願人による特開平１０−１０８８３６号公報を参照されたい。
【００２３】
８０は角膜形状測定用及びＺ方向のアライメント用の赤外光源であり、光軸Ｌ１を中心に４個配置されている。この内の２つは装置の水平方向に、他の２つは装置の垂直方向に、それぞれ投影光軸が光軸Ｌ１に対して所定の角度で交わるように配置されている。光源８０からの光は、スポット絞り８１及びコリメーティングレンズ８２を介して角膜Ｅｃに投影される。光源８０による角膜反射像は、反射ミラー９，反射ミラー１０，ハーフミラー５１，ハーフミラー５２及び結像レンズ５３を介してＣＣＤカメラ５３に受光される。
【００２４】
８５はＺ方向のアライメント用の赤外光源であり、光軸Ｌ１を中心に２個配置されている。また、光源８５は、装置の水平方向にそれぞれ投影光軸が光軸に対して所定の角度で交わるように配置されている。光源８５からの光は、スポット絞り８６を介して角膜Ｅｃに投影される。光源８５による角膜反射像は、反射ミラー９，反射ミラー１０，ハーフミラー５１，ハーフミラー５２及び結像レンズ５３を介してＣＣＤカメラ５４に受光される。なお、説明の便宜上、２つの光源８５及びスポット絞り８６についても、図３では上下に配置しているように図示したが、本来は被検眼に対して左右方向に配置しているものである。
【００２５】
光源８０による光は平行光束であるため、被検眼Ｅに対する測定ユニット１の作動距離（Ｚ方向の距離）が変化しても角膜反射像の位置はほとんど変化しない。一方、光源８５による光は発散光束であるので、作動距離が変化すると角膜反射像の位置が変化する。そして、これら角膜反射像の位置に基づきＺ方向のアライメント状態を検出することができる（詳しくは、本出願人による特開平６−４６９９９号を参照）。
【００２６】
図４は、本装置の制御系ブロック図を示す。１４０は画像制御部であり、ＣＣＤカメラ２５及びＣＣＤカメラ５４からの画像信号が入力される。画像制御部１４０は、ＣＣＤカメラ２５及びＣＣＤカメラ５４からの画像信号を処理して各光源による角膜反射像を検出する機能、モニタ２６側に出力する画像信号を切換える機能、被検眼の画像信号に重畳して文字やマーク等をスパーインポーズする機能を有する。２７は、モニタ２６の表示画面の輝度及びコントラストを調整するための表示設定部であり、その調整信号はシステム制御部１１０に入力される。モニタ制御部２８は、モニタ２６のコントラストや輝度（ブライトネス）をシステム制御部１１０からの信号に基づいて設定する。また、モニタ制御部２８は、モニタ２６が持つ調整機能を使用することもできる。表示設定部２７には、メニューボタン２７ａ、ＥＮＴＥＲボタン２７ｂ、↑ボタン２７ｃ、↓ボタン２７ｄが設けられている。
【００２７】
画像制御部１４０、モニタ制御部２８はシステム制御部１１０に接続されている。また、システム制御部１１０には、モニタ２６の調整値をデジタル記憶するメモリ１４１、測定ユニット１をＸＹＺの三次元方向に移動させる移動部１３０、ミラー移動ユニット９０、眼圧測定部移動ユニット１００、ピストン１２を移動させるロータリーソレノイド１１３、光検出器４６、位置検出素子４７、受光部７７、測定データや測定等を記憶するためのメモリ１２０、測定モード選択スイッチや前眼部照明用光源の光量を調整する光量調整スイッチ等を持つスイッチ部１２１、等が接続されている。
【００２８】
以上のような構成を持つ眼科装置において、以下にその動作を説明する。まず、測定動作について簡単に説明する。本装置は、眼屈折力を測定するモード、角膜形状を測定するモード、眼圧を測定するモード、眼屈折力・角膜形状を連続測定するモード、眼屈折力・角膜形状・眼圧を連続測定するモードを備えている。これらの測定モードはスイッチ部１２１の測定モード選択スイッチで選択できる。以下では、眼屈折力・角膜形状・眼圧を連続測定するモードを選択した場合を説明する。この連続測定モードでは、先に眼屈折力及び角膜形状を測定するモードが実行された後、眼圧測定モードに自動的に切換えられる。これは先に眼圧を測定すると、圧縮空気の吹き付け等による影響が残る可能性があるからである。
【００２９】
眼屈折力及び角膜形状を測定するモードでは、反射ミラー９がノズル１３の前に挿入された状態とされ、眼屈折力・角膜形状測定部１ｂが持つＣＣＤカメラ５４により被検眼前眼部が撮像される。検者はモニタ２６に表示される前眼部像を観察し、ジョイスティック４及び回転ノブ４ａを操作して、被検眼Ｅに対して測定ユニット１を粗くアライメントする。
【００３０】
光源６０，光源８０及び光源８５による角膜反射像がＣＣＤカメラ５４により撮像される状態になると、画像処理部１４０によりその反射像が検出処理される。システム制御部１１０は、その反射像の検出結果に基づいて移動部１３０を駆動し、被検眼Ｅに対する測定ユニット１の精密なアライメントを行う。Ｘ，Ｙ及びＺ方向のアライメント状態がそれぞれ予め設定された許容範囲に入ると、システム制御部１１０は、自動的にトリガ信号を発し（またはモニタ２６に表示されるアライメント完了の表示に従って検者が測定開始スイッチ５を押してトリガ信号を入力し）、受光部７７の各受光素子からの出力信号の位相差に基づき屈折力を求める。また、制御部１１０は、ＣＣＤカメラ５４からの出力信号に基づき、光源８０による角膜反射像の位置に基づき角膜形状を求める。
【００３１】
眼屈折力及び角膜形状の測定によりそれぞれ予め定められた個数の測定結果が得られる等、所定の測定終了条件が満たされると、システム制御部１１０は眼圧測定モードへの切換信号を自動的に発し、眼圧を測定するモードに切換える。眼圧測定モードへの切換信号が入力されると、システム制御部１１０は、眼屈折力及び角膜形状の測定で使用したアライメント用の光源８０，８５等を消灯し、眼圧測定で使用するアライメント用の光源４０，光源３０等を点灯する。同時に、眼圧測定部１ａを被検眼Ｅ側に移動させ、ノズル１３の先端を測定ユニット１の前面からせり出させる。この際、眼圧測定部１ａの移動に連動して反射ミラー９がノズル１３の前から退避することにより、被検眼前眼部がＣＣＤカメラ２５により撮像可能になると共に、光源４０及び光源３０による角膜反射像が検出可能な状態となる。また、眼圧測定モードへの切換信号により、モニタ２６に表示する画像をＣＣＤカメラ２５からの映像信号に切換える。これにより、検者は眼圧測定時の前眼部の状態をモニタ２６で観察可能になり、検者はアライメント状態を確認しながらジョイスティック４の操作による手動アライメント調整や、被検眼の状態の適否を判断できる。
【００３２】
システム制御部１１０は、光源４０による角膜反射像が位置検出素子４７に入射する状態になると、この検出結果に基づいて眼圧測定部移動ユニット１００を制御し、Ｚ方向の詳細なアライメントを行う。また、ＣＣＤカメラ２５の光源３０による角膜反射像の検出結果に基づき、移動部１３０を制御してＸ方向及びＹ方向の詳細なアライメントを行う。
【００３３】
被検眼Ｅに対する眼圧測定部１ａのアライメント状態が適正になると、システム制御部１１０は、自動的にトリガ信号を発してロータリソレノイドを駆動させ、眼圧測定を実行する。ロータリソレノイドの駆動によりピストン１２が移動されると、シリンダ１１内の空気が圧縮され、圧縮空気がノズル１３から角膜Ｅｃに向けて吹き付けられる。角膜Ｅｃは、圧縮空気の吹き付けにより徐々に変形し、扁平状態に達したときに光検出器４６に最大光量が入射される。制御部１１０は、圧力センサ１６及び光検出器４６からの出力信号とに基づき眼圧を求める。
【００３４】
次に、眼屈折力・角膜形状の測定時と眼圧の測定時とでモニタ２６に表示される被検眼像の明るさやコントラストの表示状態が違う場合、その表示状態を調整する方法を説明する。
【００３５】
表示設定部２７のメニューボタン２７ａを押してモニタ２６に環境設定画面を表示させる。図５は、眼屈折力・角膜形状の測定モードにおける環境設定画面での画面例であり、モニタ２６にはＣＣＤカメラ５４で撮像された前眼部像Ｆが表示されている。画面下の左側には、眼屈折力・角膜形状の測定モードを示す「ＲＫ」表示２０１、このモードにおける輝度の調整レベルの表示２０２、コントラストのレベル表示２０３が表示されている。画面下の右側には、眼圧測定モードを示す「ＮＴ」表示２０５、このモードにおける輝度の調整レベルの表示２０６、コントラストのレベル表示２０７が表示されている。輝度及びコントラストの各パラメータのレベルは、例えば、１〜１０までの１０段階に可変調整できるものである。２００はパラメータの選択項目を示すカーソルである。
【００３６】
ここで、眼屈折力・角膜形状の測定モードにおける輝度、コントラストを調整する場合は、↑ボタン２７ｃ又は↓ボタン２７ｄを押していき、調整するパラメータにカーソル２００を移動させ、ＥＮＴＥＲボタン２７ｂを押すことにより、選択されたパラメータのレベルが調整可能になる。そして、再度↑ボタン２７ｃ又は↓ボタン２７ｄを押すことにより、その選択されたレベルを増減調整できる。表示設定部２７の操作信号はシステム制御部１１０に入力された後、システム制御部１１０からモニタ制御部２８へと信号が送られ、モニタ制御部２８によりモニタ２６の輝度及びコントラストの表示状態が変えられる。この調整時、画面に表示された前眼部像Ｆを観察することにより、その輝度及びコントラストの表示状態を検者が所望する状態に調整することができる。
【００３７】
所望する表示状態を調整した後、メニューボタン２７ａを押すと、モニタ２６の画面は元のアライメント画面に切換わり、この眼屈折力・角膜形状の測定モードにおける各調整値がメモリ１４１に記憶される。なお、メモリ１４１は、装置の電源が遮断された後も、その記憶内容を保持する不揮発メモリである。
【００３８】
同様に、眼圧測定モードに切換えた後に表示設定部２７のメニューボタン２７ａを押すと、眼圧測定モードにおける環境設定画面が表示される。なお、眼圧測定モードに切換えると、先に説明したように、眼圧測定部１ａを被検眼Ｅ側に移動し、反射ミラー９がノズル１３の前から退避することにより、被検眼の前眼部がＣＣＤカメラ２５で撮像される。そして、図５に示したモニタ２６の環境設定画面の前眼部像Ｆが、ＣＣＤカメラ２５で撮像されたものに切換えられる。この場合においても、↑ボタン２７ｃ又は↓ボタン２７ｄを押していき、調整するパラメータの表示２０６又は２０７にカーソル２００を移動させ、ＥＮＴＥＲボタン２７ｂを押すことにより調整するパラメータを選択する。再度↑ボタン２７ｃ又は↓ボタン２７ｄを押すことにより、その選択されたパラメータのレベルを増減調整し、モニタ２６に表示された前眼部像Ｆの輝度やコントラストの表示状態を所望する状態に設定する。次に、メニューボタン２７ａを押すことにより、モニタ２６の画面は元のアライメント画面に切換わり、この眼圧測定モードにおける各調整値がメモリ１４１に書き込み記憶される。
【００３９】
なお、輝度やコントラストの表示状態の調整は、それぞれＣＣＤカメラ２５，５４にて撮像された前眼部像Ｆを確認しながら行うのが好ましいが、被検眼の代わりに模型眼を使用して確認しても良い。
【００４０】
以後、システム制御部１１０は、測定モードを眼屈折力・角膜形状の測定モードもしくは眼圧測定モードに切換える信号に同期して、測定モードに対応した各調整値をメモリ１４１から呼び出し、その調整データをモニタ制御部２８に入力する。モニタ制御部２８は、入力された調整データに基づいて輝度やコントラストの表示状態を設定する。測定モード切換えに応じて、モニタ２６の画面の輝度やコントラストが予め調整された状態に設定されるので、検者は手間なく各測定モードに適した表示状態で被検眼を観察することができる。眼圧測定時と眼屈折力・角膜形状の測定時とで前眼部像が同じような輝度やコントラストで観察できるように設定しておけば、測定モードの切換わった際の違和感が軽減され、各測定時において前眼部を観察しやすくなる。
【００４１】
上記ではモニタ２６自体の表示状態を調整するものとしたが、モニタ制御部２８の代わりに、ＣＣＤカメラ２５及び５４から出力される画像信号のゲインをそれぞれ調整する制御回路を設ける構成としても良い。
【００４２】
また、前眼部像の輝度を調整する変容例として、前眼部照明用光源２０の光量を調整するように構成することもできる。この場合、スイッチ部１２１に表示設定部２７と同様な構成の光量設定部を設け、その光量設定部のスイッチにより各測定モードにおける照明光量を調整し、その調整値をメモリ１４１に記憶させておく。システム制御部１１０は、前述と同様に、各測定モードの切換え信号に応じて、対応した光量の調整値を読み出し、光源２０の光量を制御する。前眼部照明の光量調整は、その光源自体の発光量を調整する他、点灯させる光源の数を調整することでも良い。
【００４３】
図６は、眼屈折力測定部と眼圧測定部の光学系構成の変容例を示す図であり、図３と同じ符号の構成要素については、基本的に同様の構成とする。この変容例では眼圧測定部１ａのＣＣＤカメラ２５を含む前眼部観察光学系の一部を、眼屈折力測定時にも兼用する構成としている。眼屈折力測定モードのときは、空気吹付機構１０２が、移動機構１０５によって、光軸Ｌ１から退避するようになっている。これは、眼屈折力測定時において、流体吹付機構１０２により、測定光束がけられないようにするためである。眼屈折力測定光学系１０１はビームスプリッタ２９により分岐された光路に配置されている。屈折力測定時の被検眼への雲霧は、固視標３６を動かすことにより行う。アライメント用の光源についても共用する構成であるが、専用のものを用意することでも良い。眼屈折力測定時と眼圧測定時のアライメント状態の検出は、ＣＣＤカメラ２５にて兼用している。
【００４４】
この構成においては、眼屈折力の測定時に対して、眼圧測定時には空気吹付機構１０２が光軸Ｌ１に配置されるため、ＣＣＤカメラ２５に至るまでの観察光学系の一部が異なることになる。すなわち、眼圧測定時には空気吹付機構１０２が持つノズル１３、これを保持する２つのガラス板１４及びその背後のガラス板１５が配置されることになる。ノズル１３を保持する先端側のガラス板１４は、被検眼の回りの顔との接触を避けるために、通常、１０ｍｍ程度の大きさである。一方、眼屈折力測定時には空気吹付機構１０２が持つ光学系が光軸Ｌ１から外れるので、眼屈折力測定の測定窓を大きく取ることができる。このような場合には、眼圧測定時にＣＣＤカメラ２５で撮像されてモニタ２６に表示される被検眼像の明るさは、眼屈折力測定時に比べて暗くなるが、上記で示したように眼屈折力測定時と眼圧測定時のそれぞれで輝度やコントラストの調整を行い、表示状態の設定をすれば、それぞれの測定モードにおいて、容易に適切な表示状態に調整することが可能となる。
【００４５】
以上、眼圧測定と眼屈折力・角膜形状の測定の複合機を例にとって説明したが、眼圧測定と眼底カメラ（眼底撮影）との複合機、眼屈折力と前眼部断面撮影の複合機とするなど、その他さまざまな測定や撮影の被検眼情報を検査する複合機においても、本発明の適用が可能である。
【図面の簡単な説明】
【００４６】
【図１】本発明に係る眼科装置の外観略図である。
【図２】測定ユニット内を側方から（図１中矢印Ａ方向から）見た概略構成図である。
【図３】測定ユニット内に配置された光学系、及び眼圧測定部の流体噴射機構の概略構成図である。
【図４】本装置の制御系ブロック図を示した図である。
【図５】眼屈折力・角膜形状の測定モードにおける環境設定画面での画面例である。
【図６】眼屈折力測定部と眼圧測定部の光学系構成の変容例を示す図である。
【符号の説明】
【００４７】
１ａ  眼圧測定部
１ｂ  眼屈折力・角膜形状測定部
２５  ＣＣＤカメラ
２６  モニタ
２７  表示設定部
２８  モニタ制御部
５４  ＣＣＤカメラ
１４０  画像制御部
１４１  メモリ
【図１】
2005160548.tif 000003
【図２】
2005160548.tif 000004
【図３】
2005160548.tif 000005
【図４】
2005160548.tif 000006
【図５】
2005160548.tif 000007
【図６】
2005160548.tif 000008